(57)【要約】【課題】板ばねを捕捉要素とする従来のランナーストッパーに比べて、全体構造をさらに簡素化してコストを削減でき、しかも、板ばねの弾性力の調整を簡便にしかも的確に行なうことができるランナーストッパーを提供する。【解決手段】ランナーストッパーは、ガイドレール１の上壁３に固定されるストッパー本体２０と、ストッパー本体２０に締結される雄ねじ体２１および雌ねじ体２２とを備えている。ストッパー本体２０は、ガイドレール１に固定される締結座２３と、締結座２３に隣接配置されてランナー本体１０を捕捉する下突状のストッパー腕２４と、ストッパー腕２４の一側に連続する調整座２５とを一体に備えている。調整座２５に締結される雄ねじ体２１と雌ねじ体２２の締結位置を変更することにより、ストッパー腕２４のたわみ代を変更してランナー本体１０に作用する弾性力を調整する。【選択図】図１
2014169559.tif 000002
【特許請求の範囲】
【請求項１】
ガイドレール（１）に固定されて、戸パネル（４）に設けたランナー本体（１０）を所定の開閉位置で固定保持するランナーストッパーであって、
ランナーストッパーは、ガイドレール（１）の上壁（３）に固定されるストッパー本体（２０）と、ストッパー本体（２０）に締結される雄ねじ体（２１）および雌ねじ体（２２）とを備えており、
ストッパー本体（２０）は、ガイドレール（１）に固定される締結座（２３）と、締結座（２３）に隣接配置されてランナー本体（１０）を捕捉する下突状のストッパー腕（２４）と、ストッパー腕（２４）の一側に連続する調整座（２５）とを一体に備えており、
調整座（２５）に締結される雄ねじ体（２１）と雌ねじ体（２２）の締結位置を変更することにより、ストッパー腕（２４）のたわみ代を変更してランナー本体（１０）に作用する弾性力を調整することを特徴とするランナーストッパー。
【請求項２】
ストッパー本体（２０）が、ガイドレール（１）に固定される左右両側の締結座（２３）と、両締結座（２３）の間に設けられるストッパー腕（２４）と、ストッパー腕（２４）の一側に連続する調整座（２５）とを一体に備えている請求項１に記載のランナーストッパー。
【請求項３】
調整座（２５）が締結座（２３）より下側に膨出されて、ガイドレール（１）の上壁（３）と調整座（２５）との間に調整隙間（３１）が形成されており、
調整隙間（３１）に雄ねじ体（２１）と雌ねじ体（２２）のいずれか一方が配置してある請求項１または２に記載のランナーストッパー。
【発明の詳細な説明】
【技術分野】
【０００１】
本発明は、引戸や折戸を支持する吊車形のランナー、あるいは戸車を備えている戸パネルの上部に設けられる振止め用のランナーを所定の位置に位置保持するためのランナーストッパーに関する。
【背景技術】
【０００２】
この種のランナーストッパーとして、一対の弾性腕でランナーの一部を挟み保持する形態のストッパー（特許文献１）と、湾曲する板ばねの湾曲面を戸パネルの上端面に押付ける形態のストッパー（特許文献２）とがある。特許文献１のランナーキャッチャー（ランナーストッパー）は、一対の弾性腕を備えたプラスチック製のキャッチャー本体と、キャッチャー本体をガイドレールに固定する上下一対の取付プレートおよびビスと、弾性腕の撓み変形量を調整する規制金具（調整金具）とで構成してある。キャッチャー本体の前後には、弾性腕と平行な支持腕が一体に形成してあり、各支持腕の弾性腕との対向面には複数の係合凹部が形成してある。また、規制金具は前後の支持腕に支持されており、先の係合凹部に落込み係合する係合片と、弾性腕の撓み変形度合いを規制する規制片とが一体に設けてある。
【０００３】
規制金具を戸パネルの左右方向（開閉方向）へ移動させて、係合片と係合凹部の係合位置を変更すると、弾性腕が撓み変形するときの係合捕捉力（弾性力）を段階的に調整することができる。このように、特許文献１のランナーストッパーによれば、戸パネルの重量の違いや、ユーザーの好みに応じて、弾性腕による係合捕捉力を大小に調整できる。
【０００４】
特許文献２のストッパー（ランナーストッパー）は、鴨居側のレール溝に固定される帯状の基板と、一端が基板に固定される湾曲形状のばね板と、ばね板の遊端に隣接して設けられるばね強度調整手段とで構成してある。ばね強度調整手段は、押出しプレートと、同プレートを締結する調整ねじ軸および可動ナットとで構成してある。押出しプレートと、調整ねじ軸および可動ナットの３者を基板に形成した長穴に沿って調整移動したのち、調整ねじ軸を可動ナットにねじ込むことにより、ばね板の湾曲形状を変化させて弾性力を調整できる。本発明に係るランナーストッパーは、特許文献２のストッパーと同様に、板ばねを捕捉要素にしてランナーを捕捉している。
【先行技術文献】
【特許文献】
【０００５】
【特許文献１】特開２００６−２９９６７１号公報（段落番号００１９、図１）
【特許文献２】特開平０７−２８６４７４号公報（段落番号０００８〜００１３、図１）
【発明の概要】
【発明が解決しようとする課題】
【０００６】
特許文献１のランナーストッパーによれば、規制金具に設けた係合片と係合凹部との係合位置を調整するだけで、戸パネルの重量の違いやユーザーの好みに応じて、弾性腕による係合捕捉力を大小に調整できる。また、戸パネルを取外す必要もなく規制金具を調整操作できるので、ユーザー自身で弾性腕の係合捕捉力を自由に調整できる。しかし、キャッチャー本体の前後幅が、ランナーの前後幅の約１．５倍にもなるので、キャッチャー本体を収容するレール部分の前後幅が大きなガイドレールでないと、ランナーストッパーを適用できず汎用性に欠ける。また、キャッチャー本体と、上下一対の取付プレートおよびビスと、規制金具とでランナーストッパーを構成するので、ランナーストッパーの構成部品点数が多く全体構造が複雑になる。さらに、ランナーの側に、一対の弾性腕で挟み保持される連結ブロックを形成しておく必要があるため、既存のランナーに適用することができず、全体コストが高く付く。
【０００７】
その点、特許文献２のランナーストッパーは、帯状の基板と、ばね板と、押出しプレートと、調整ねじ軸および可動ナットとで構成してあるので、特許文献１のランナーストッパーに比べて全体構造を簡素化でき、コストを削減できる。また、基板およびばね板の前後幅が小さいので、殆どのガイドレールに問題なく適用できる。しかし、押出しプレートの固定位置を変更して、ばね板の弾性力を間接的に変更するので、一般ユーザーにとってばね板の弾性力を適切に調整することは難しい。ばね板の遊端を受止めている押出しプレートには常にばね板の弾性力が作用しているので、固定位置を変更するために調整ねじ軸を緩めた途端に、押出しプレートがばね板から遠ざかる側へ押戻されてしまう。そのため、どの位置で押出しプレートを固定すればよいのかが判らなくなる。さらに、ガイドレールの内奥において、ばね板の弾性力に逆らった状態で押出しプレートの固定位置を決め、その位置を保持した状態のままで調整ねじ軸をねじ込む必要があるので、一連の作業を簡便に行えない。
【０００８】
本発明の目的は、板ばねを捕捉要素とする従来のランナーストッパーに比べて、全体構造をさらに簡素化してコストを削減でき、しかも、板ばねの弾性力の調整を簡便にしかも的確に行なうことができるランナーストッパーを提供することにある。
本発明の目的は、一般的な構造のガイドレールに問題なく適用できる汎用性に優れたランナーストッパーを提供することにある。
【課題を解決するための手段】
【０００９】
本発明に係るランナーストッパーは、ガイドレール１に固定されて、戸パネル４に設けたランナー本体１０を所定の開閉位置で固定保持する形態のランナーストッパーからなる。ランナーストッパーは、ガイドレール１の上壁３に固定されるストッパー本体２０と、ストッパー本体２０に締結される雄ねじ体２１および雌ねじ体２２とを備えている。ストッパー本体２０は、ガイドレール１に固定される締結座２３と、締結座２３に隣接配置されてランナー本体１０を捕捉する下突状のストッパー腕２４と、ストッパー腕２４の一側に連続する調整座２５とを一体に備えている。調整座２５に締結される雄ねじ体２１と雌ねじ体２２の締結位置を変更することにより、ストッパー腕２４のたわみ代を変更してランナー本体１０に作用する弾性力を調整することを特徴とする。
【００１０】
ストッパー本体２０は、ガイドレール１に固定される左右両側の締結座２３と、両締結座２３の間に設けられるストッパー腕２４と、ストッパー腕２４の一側に連続する調整座２５とを一体に備えている。
【００１１】
調整座２５を締結座２３より下側に膨出させて、ガイドレール１の上壁３と調整座２５との間に調整隙間３１を形成する。調整隙間３１に雄ねじ体２１と雌ねじ体２２のいずれか一方を配置する。
【発明の効果】
【００１２】
本発明においては、ランナー本体１０を所定の開閉位置で固定保持するランナーストッパーを、ガイドレール１の上壁３に固定されるストッパー本体２０と、ストッパー本体２０に締結される雄ねじ体２１および雌ねじ体２２との三者で構成した。このように、ストッパー本体２０と、雄ねじ体２１と、雌ねじ体２２との三者で構成したランナーストッパーによれば、板ばねを捕捉要素とする従来のランナーストッパーに比べて、全体構造をさらに簡素化してコストを削減できる。また、ストッパー本体２０を、締結座２３とストッパー腕２４と調整座２５とが連続する、左右に長い帯状体として形成するので、ランナー本体１０を収容できる通常構造のガイドレール１であれば、ストッパー本体２０を問題なく適用でき、ランナーストッパーの汎用性を向上できる。
【００１３】
さらに、調整座２５に締結される雄ねじ体２１と雌ねじ体２２の締結位置を変更することで、ストッパー腕２４のたわみ代を変更してランナー本体１０に作用する弾性力を調整できる。従って、戸パネル４の重量の違いやユーザーの好みに応じて、雄ねじ体２１と雌ねじ体２２の締結位置を変更するだけの簡単な操作で、ストッパー腕２４の弾性力を簡便にしかも的確に調整することができる。また、戸パネル４をガイドレール１に組付けた状態のままで、ストッパー腕２４の弾性力を調整操作できるので、締結位置の変更と、その後の弾性力の効き具合の確認とを速やかに行うことができる。一連の調整作業はユーザー自身で行うこともできる。
【００１４】
ストッパー本体２０の左右両側に締結座２３を設け、両締結座２３をガイドレール１の上壁３に締結すると、ストッパー本体２０の両端が拘束された状態で、ストッパー腕２４および調整座２５を弾性変形させることができる。そのため、ストッパー本体２０の一端に設けた締結座２３のみをガイドレール１に締結する場合に比べて、ストッパー腕２４および調整座２５が弾性変形するときの変形応力（弾性力）を大きくして、より強い力でランナー本体１０を捕捉することができる。因みに、ストッパー本体２０の一端の締結座２３のみをガイドレール１に締結する場合には、ランナー本体１０がストッパー腕２４に接当するとき、ストッパー本体２０の遊端３９が上壁３に対してすべり移動するので、先の変形応力（弾性力）が小さくなる。
【００１５】
ガイドレール１の上壁３と調整座２５との間に調整隙間３１を形成し、この調整隙間３１に例えば雄ねじ体２１を配置すると、雄ねじ体２１と雌ねじ体２２の締結位置を変更する調整作業を的確に、しかも簡便に行える。調整隙間３１に配置された雄ねじ体２１または雌ねじ体２２は、両者のねじ込み状態を緩めるだけで調整隙間３１に沿って自由に移動操作でき、任意の締結位置に移動操作したのち、その位置に簡単に締結固定できるからである。
【図面の簡単な説明】
【００１６】
【図１】ランナーストッパーとランナーとの関係構造を示す縦断正面図である。
【図２】ランナーストッパーの適用例を示す引戸の正面図である。
【図３】ランナーストッパーの分解斜視図である。
【図４】図１におけるＡ−Ａ線断面図である。
【図５】ランナーストッパーの調整法を示す縦断正面図である。
【図６】ストッパー腕とランナー本体の係合途中状態を示す縦断正面図である。
【図７】調整構造の変形例を示す縦断側面図である。
【図８】調整構造の別の変形例を示す縦断側面図である。
【図９】調整構造のさらに別の変形例を示す縦断側面図である。
【図１０】ストッパー本体の変形例を示す縦断正面図である。
【発明を実施するための形態】
【００１７】
（実施例）  図１ないし図６は、本発明に係るランナーストッパーを引戸に適用した実施例を示している。なお、本発明における前後、左右、上下とは、図１および図３に示す交差矢印と、各矢印の近傍に表記した前後、左右、上下の表示に従う。図２において引戸は、開口枠の上枠に固定されるガイドレール１と、ガイドレール１で移行案内される左右一対のランナー２と、左右のランナー２で支持される戸パネル４などで構成してある。戸パネル４の下部は、床面に配置した振止め具５と、戸パネル４の下面に設けたガイド溝６とで前後遊動不能に受止めてある。符号７は戸パネル４を開閉するための把手である。図４に示すように、ガイドレール１は、下向きに開口する断面がＣ字状のアルミニウム条材からなり、その下面前後にランナー２を支持する一対のレール壁１ａが設けてある。ガイドレール１の内法前後寸法は、ランナー２の前後寸法より僅かに大きく形成してある。
【００１８】
図１および図４において、ランナー２は、ガイドレール１で移行案内されるランナー本体１０と、戸パネル４の上隅部に装着されるランナー台１１と、両者１０・１１を連結するランナー軸１２などで構成してある。ランナー本体１０は、プラスチック成形品からなる左右横長のランナーブロック１３と、ランナーブロック１３の前後に左右一対ずつ配置される４個のローラー１４と、これらのローラー１４を遊転自在に支持するローラー軸１５などで構成する。ランナーブロック１３の左右中央には、ランナー軸１２がランナーブロック１３を上下に貫通する状態で組付けてあり、これによりランナー軸１２とランナーブロック１３とは自由に相対回転できる。また、ランナーブロック１３の上面中央には、後述するランナーストッパー用の係合凹部１６が凹み形成してあり、ランナーブロック１３の閉じ端側の上隅部は４分円状に丸められてストッパー腕２４用のガイド面１７としてある。図示していないが、ランナー台１１の内部には高さ調整機構が組み込んであり、この調整機構を調整操作することにより、戸パネル４の高さを上下に調整することができる。
【００１９】
ランナー２を開口枠の閉じ端および開放端において保持するために、図２に示すように、左右一対のランナーストッパー（ストッパー本体２０）をガイドレール１の両端寄りに配置している。閉じ端および開放端に配置されるランナーストッパーは、ガイドレール１に対して左右対称に固定されるので、以下では閉じ端側のランナーストッパーについてのみ説明する。
【００２０】
図３においてランナーストッパーは、ガイドレール１の上壁に固定されるストッパー本体２０と、ストッパー本体２０に締結される調整ビス（雄ねじ体）２１およびナット体（雌ねじ体）２２とを備えている。ストッパー本体２０は、ステンレス板材にプレス加工を施して形成してあり、左右両側の締結座２３・２３と、両締結座２３・２３の間に設けられるストッパー腕２４と、ストッパー腕２４の一側に連続する調整座２５と、調整座２５と締結座２３との間の傾斜壁２７を一体に備えている。ストッパー腕２４は、下突湾曲状に形成されて、その湾曲頂部２６がランナーブロック１３の移動軌跡と交差させてある。先に説明した係合凹部１６は、湾曲頂部２６を落込み係合させるために設けてあり、両者１６・２６はそれぞれ部分円弧状に形成されて、円弧半径（湾曲半径）が一致させてある。左右の締結座２３・２３には、長穴状の締結穴２８が形成してある。
【００２１】
調整座２５は、ストッパー腕２４の開口中央部側の端部に連続して水平に形成してあり、締結座２３より下側に膨出されて、ガイドレール１の上壁３と調整座２５との間に調整隙間３１が設けてある（図１参照）。つまり、ガイドレール１の上壁３にビス２９で締結される締結座２３がストッパー本体２０の最も上側に位置させてあり、これよりも低い位置に調整座２５が、さらに低い位置にストッパー腕２４が位置させてある。調整座２５には調整ビス２１を挿通するための調整溝３２が形成されており、先の上壁３と対向する側の前後縁には、ナット体２２の連回りを防ぐ受壁３３が調整溝３２に沿って形成してある。
【００２２】
ナット体２２は四角形状に形成されて、その中央にねじ穴が形成してあり、その厚み寸法は、先の調整隙間３１と同じか僅かに小さく、さらに受壁３３の突出寸法より大きく設定してある。このように、ナット体２２の厚みを可能な限り小さく設定するのは、ストッパー腕２４のたわみ代を調整する調整構造がランナーブロック１３と接当干渉するのを避けるためであり、同じ趣旨から調整ビス２１は、操作頭部の厚みが小さなトラス小ねじやバインド小ねじを適用することが好ましい。前後の受壁３３の対向間隔は、四角形に形成したナット体２２の前後幅より僅かに大きく設定してある。
【００２３】
ナット体２２を調整隙間３１に配置し、調整ビス２１を調整溝３２を介してナット体２２にねじ込むことにより、調整ビス２１およびナット体２２が調整座２５に締結固定される。また、調整座２５に締結した調整ビス２１およびナット体２２の締結位置を左右方向へ変更することにより、ストッパー腕２４のたわみ代を変更して、ランナー本体１０に作用する弾性力を調整できる。ストッパー腕２４のたわみ代とは、ストッパー腕２４が上向きの外力を受けて弾性変形するとき、ガイドレール１の上壁３で受止められたナット体２２と、閉じ端側の締結座２３との間に位置する、ストッパー腕２４と調整座２５の合計長さ範囲を意味する。
【００２４】
ストッパー本体２０は、戸パネル４が閉じ端あるいは開放端に位置する状態を基準にして、図１に示すように、調整座２５がストッパー腕２４より開口中央部側に位置する状態で、左右の締結座２３をビス２９でガイドレール１に固定する。このとき、調整ビス２１およびナット体２２は、図５に示すように、調整溝３２の左右中央に仮固定しておく。この状態で戸パネル４を何回か開閉操作して、ランナー本体１０がストッパー腕２４の湾曲頂部２６をくぐり抜けるときの弾性力の適否を確認する。
【００２５】
例えば、戸パネル４を閉じ操作する際には、ランナーブロック１３の閉じ端側の端面に設けたガイド面１７が湾曲頂部２６に接触して、ストッパー腕２４と調整座２５を弾性変形させながら、湾曲頂部２６の下面側をくぐり抜ける。このとき、湾曲頂部２６はランナーブロック１３の上面上を相対スライドしたのち、図６に示すように係合凹部１６に落ち込み係合して、ストッパー腕２４の弾性力で自由状態へ向かって復帰しようとする。しかし、戸パネル４の閉じ端に設けたシート状の緩衝体８が開口枠で受止められるため、係合凹部１６の中心と、湾曲頂部２６の中心とは一致せず、図１に示すように、湾曲頂部２６の閉じ端側の面壁が係合凹部１６に密着する状態となる。この状態のストッパー腕２４は、僅かに弾性変形しており、従って戸パネル４が閉じ位置あるいは開放位置においてがたつくことはない。
【００２６】
上記のように戸パネル４を閉じ操作する際に、戸パネル４が開口枠の閉じ端に勢いよく衝突して、衝突音が発生する場合には、ストッパー腕２４の弾性力を増強して、ランナー本体１０に作用する制動力を大きくする。具体的には、図５に示すように調整ビス２１をドライバーで緩めたのち、調整ビス２１およびナット体２２を調整溝３２の左右中央よりストッパー腕２４に近い側へ移動操作したのち調整ビス２１をねじ込み固定する。
【００２７】
このように、調整ビス２１およびナット体２２の締結位置を変更した状態では、ストッパー腕２４が弾性変形するときに、ガイドレール１の上壁３と接当するナット体２２の位置がストッパー腕２４に近づいた分だけ、ストッパー腕２４のたわみ代が小さくなる。また、ストッパー腕２４のたわみ代が小さくなった分だけ、ランナーブロック１３が湾曲頂部２６をくぐり抜けるときのストッパー腕２４の弾性変形力が増強される。以後、調整ビス２１およびナット体２２の締結位置を左右に再調整したのち、戸パネル４を開閉操作することにより、ランナー本体１０に作用する弾性力を好適化できる。なお、一連の調整作業は、戸パネル４をガイドレール１に吊込んだ状態のままで、簡便に行なうことができる。
【００２８】
ランナー本体１０がストッパー本体２０で捕捉される場合には、ストッパー本体２０は第１変形状態と第２変形状態を経て、ストッパー腕２４の湾曲頂部２６がランナーブロック１３の係合凹部１６に落ち込み係合する。第１変形状態においては、ランナーブロック１３のガイド面１７がストッパー腕２４に接当することにより、ストッパー腕２４と調整座２５と傾斜壁２７とが弾性変形して、調整座２５に締結した雄ねじ体２１がガイドレール１の上壁３で受止められる。また、第２変形状態においては、ストッパー腕２４と、雄ねじ体２１とストッパー腕２４との間の調整座２５とが弾性変形して、湾曲頂部２６がランナーブロック１３の上面に乗上がったのち、係合凹部１６に落ち込み係合する。
【００２９】
このように、ストッパー本体２０を第１変形状態と第２変形状態とに弾性変形させながら、湾曲頂部２６を係合凹部１６に落ち込み係合させると、第１変形状態においてランナー本体１０に作用する制動力を緩やかなものにすることができる。さらに、第２変形状態においてランナー本体１０に作用する制動力を、第１変形状態における制動力より大きくて充分なものとすることができる。そのため、ランナー本体１０に作用する制動力を徐々に増加させながら、戸パネル４を滑らかに閉じ位置へ移動させることができる。
【００３０】
調整ビス２１およびナット体２２を調整溝３２の左右中央に仮固定した状態で、戸パネル４を数回開閉操作するとき、戸パネル４を開放操作するのに大きな力が必要である場合には、上記とは逆に、ストッパー腕２４のたわみ代を大きくする。具体的には、調整ビス２１およびナット体２２を調整溝３２の左右中央よりストッパー腕２４から離れる側へ移動操作した状態で、調整ビス２１をねじ込み固定する。このように、ナット体２２の締結位置を変更した状態では、ストッパー腕２４が弾性変形するときに、ガイドレール１の上壁３と接当するナット体２２の位置がストッパー腕２４から離れた分だけ、ストッパー腕２４のたわみ代が大きくなる。さらに、ストッパー腕２４のたわみ代が大きくなった分だけ、ランナー本体１０が湾曲頂部２６をくぐり抜けるときのストッパー腕２４の弾性変形力が減少するので、より小さな力で戸パネル４を開放操作できる。
【００３１】
以上のように、ガイドレール１に固定されるストッパー本体２０と、ストッパー本体２０に締結される雄ねじ体２１および雌ねじ体２２との三者で構成したランナーストッパーによれば、この種の従来のランナーストッパーに比べて、全体構造をさらに簡素化してコストを削減できる。また、ストッパー本体２０を、締結座２３とストッパー腕２４と調整座２５とが連続する、左右に長い帯状に形成するので、ランナー本体１０を収容できる通常構造のガイドレール１であれば、ストッパー本体２０を支障なく適用でき、汎用性に優れたランナーストッパーが得られる。
【００３２】
さらに、雄ねじ体２１と雌ねじ体２２の調整座２５に対する締結位置を変更して、ストッパー腕２４のたわみ代を変更するだけで、ランナー本体１０に作用する弾性力を調整できるので、ストッパー腕２４の弾性力を簡便にしかも的確に調整することができる。ストッパー腕２４の弾性力を調整する場合には、戸パネル４をガイドレール１から取外す必要がないので、締結位置の変更と、その後の弾性力の効き具合の確認とを速やかに行うことができる。なお、ガイドレール１の両端にストッパー本体２０を配置すると、閉じ端および開放端においてランナー本体１０をストッパー本体２０で確実に保持固定できるので、戸パネル４に外部振動が恒常的に作用するような場合であっても、戸パネル４が開閉移動するのを確実に規制できる。
【００３３】
上記のランナーストッパーは、以下に説明する各形態で実施することができる。
（第１形態）  調整座２５に雄ねじ体２１を挿通するための調整溝３２を形成する。調整座２５の前後縁の少なくとも一方に、ガイドレール１の上壁３と調整座２５との間に配置した雄ねじ体２１または雌ねじ体２２の連回りを防ぐ受壁３３を、調整溝３２に沿って形成する。
【００３４】
上記のように、調整座２５に調整溝３２を設け、この調整溝３２に沿って連回り防止用の受壁３３を形成すると、ガイドレール１の上壁３と調整座２５との間に配置した雌ねじ体２２（または雄ねじ体２１）の周面を受壁３３で受止めて回止めできる。従って、雄ねじ体２１と雌ねじ体２２の調整座２５に対する締結位置を変更するとき、雄ねじ体２１（または雌ねじ体２２）のねじ込み作業を円滑に行うことができ、締結位置を変更する調整作業を迅速に行える。
【００３５】
（第２形態）  ストッパー本体２０を、その調整座２５がストッパー腕２４の開口中央部の側に連続する状態で、ガイドレール１に固定する。
【００３６】
調整座２５がストッパー腕２４の開口中央部の側に連続する状態で、ストッパー本体２０をガイドレール１に固定すると、取付けスペースに充分な余裕のある状態で、ストッパー本体２０をガイドレール１に固定できる。これは、殆どの場合、ランナー本体１０で支持されるランナー台１１は、戸パネル４の上隅に組付けられていて、閉じ端（あるいは開放端）からランナー軸１２の中心までの距離が小さい。そのため、調整座２５がストッパー腕２４の閉じ端（あるいは開放端）の側に連続する状態で、ストッパー本体２０をガイドレール１に固定しようとしても、充分なスペースを確保することができず、ストッパー本体２０をガイドレール１に固定できないからである。こうした事態を避けて、ストッパー本体２０を常に的確に機能させるために、調整座２５がストッパー腕２４の開口中央部の側に連続する状態で、ストッパー本体２０をガイドレール１に固定する。
【００３７】
（第３形態）  ストッパー腕２４がランナーブロック１３の上面に設けた係合凹部１６に落ち込み係合する状態において、ランナー本体１０はストッパー本体２０で捕捉保持されている。係合凹部１６に落ち込み係合した状態におけるストッパー腕２４は、自己の弾性力で自由状態ないし僅かに弾性変形した状態に復帰できる。
【００３８】
係合凹部１６と係合した状態におけるストッパー腕２４を、自己の弾性力で自由状態ないし僅かに弾性変形した状態に復帰させると、先の係合状態におけるストッパー腕２４を無負荷状態、または僅かに弾性力が発生している状態に保持できる。従って、戸パネル４が閉じ位置や開放位置に位置した状態のまま、長期にわたって放置されるような場合であっても、ストッパー腕２４に大きなストレスが作用するのを防止して、ストッパー腕２４の弾性力を適正な状態に保持できる。
【００３９】
（第４形態）  下突湾曲状に形成したストッパー腕２４の湾曲頂部２６を、部分円弧状に凹み形成した係合凹部１６の湾曲半径と同じに設定する。
【００４０】
下突湾曲状に形成したストッパー腕２４の湾曲頂部２６の湾曲半径を、係合凹部１６の湾曲半径と同じに設定すると、係合状態において湾曲頂部２６と係合凹部１６を面接触状に密着させて、ランナー本体１０ががたつくのを防止できる。従って、戸パネル４に外部振動が恒常的に作用するような場合であっても、閉じ位置あるいは開放位置に位置している戸パネル４が遊動し騒音が発生するのをよく防止できる。
【００４１】
（第５形態）  ランナーブロック１３の進行方向の上隅のいずれか一方に、ストッパー腕２４の乗上がりを容易化するガイド面１７を形成する。湾曲頂部２６は、ガイド面１７でランナーブロック１３の上面に乗上げ案内されたのち係合凹部１６に落ち込み係合する。
【００４２】
湾曲頂部２６を、ランナーブロック１３の上隅に設けたガイド面１７で乗上げ案内すると、ランナーブロック１３がストッパー腕２４の下側をくぐり抜ける状態において、ストッパー腕２４の弾性力を徐々に、かつ充分な量にまで増加させることができる。そのため、戸パネル４が勢いよく開閉されるような場合であっても、ランナーブロック１３の移動をストッパー腕２４で効果的に制動して、戸パネル４が開口枠に衝突するのを確実に防止できる。
【００４３】
図７ないし図１０は、それぞれランナーストッパーの変形例を示している。図７においては、ナット体２２の前後いずれかに鉤状の掛止腕３６を一体に設け、この掛止腕３６を調整座２５の前後端面のいずれか一方に掛止して、調整ビス２１をねじ込むときナット体２２が連れ回りするのを防止した。また、調整ビス２１をナット体２２にねじ込んだ状態において、ねじ軸の上端がガイドレール１の上壁３で受止められるようにした。この実施例においては、調整座２５の前端面あるいは後端面が受壁３３として機能する。このように、連回り防止構造はナット体２２の側に設けることができる。他は先の実施例と同じであるので、同じ部材に同じ符号を付して、その説明を省略する。以下の説明においても同じとする。
【００４４】
図８においては、ナット体２２の下端部に、調整溝３２に嵌合する軸部３７を設け、その対向周面に平坦な回止面３８を形成して、調整ビス２１をねじ込むときナット体２２が連れ回りするのを防止した。この実施例においては、回止面３８を受止める調整溝３２の前面および後面が受壁３３として機能する。
【００４５】
図９においては、トラス小ねじからなる雄ねじ体２１を調整隙間３１の側に配置し、六角ナットからなる雌ねじ体２２を調整座２５の下面側に配置した。また、雄ねじ体２１の操作頭部の対向周面に平坦な回止面３８を形成し、回止面３８を調整座２５に設けた受壁３３で受止めることにより、調整ビス２１をねじ込むときナット体２２が連れ回りするのを防止した。この実施例から理解できるように、雄ねじ体２１と雌ねじ体２２は、両者のうちのいずれかが調整隙間３１の側に配置してあればよい。
【００４６】
図１０はストッパー本体２０の変形例を示しており、そこでは傾斜壁２７に連続して部分円弧状の遊端３９を一体に形成して、ストッパー腕２４に隣接する締結座２３のみをビス２９でガイドレール１の上壁３に締結した。このように、ストッパー本体２０は、左右の締結座２３のうちいずれか一方を省略して構成することができるが、その場合でも、傾斜壁２７に連続する側の締結座２３を省略することが好ましい。ストッパー腕２４に隣接する側の締結座２３を省略する場合には、ストッパー腕２４の弾性変形力が小さくなりすぎるからである。なお、ストッパー本体２０の片方の締結座２３のみをガイドレール１に締結する形態では、ランナー本体１０がストッパー腕２４に接当するとき、ストッパー本体２０の遊端３９が上壁３に対してすべり移動する。そのため、ストッパー本体２０の両端の締結座２３を締結する場合に比べて、ストッパー腕２４および調整座２５が弾性変形するときの変形応力（弾性力）が小さくなる。
【００４７】
本発明のランナーストッパーは、吊車形のランナー以外に、戸車で支持されている戸パネル４の上部に設けられる振止め用のランナーにも適用できる。また、引戸以外に折戸、あるいはフリー折戸にも適用できる。例えば、フリー折戸において、ガイドレール１の両端の開放端にストッパー本体２０を配置すると、全開放状態に折りたたまれて開放端まで移動された戸パネル４のランナー本体１０を、ストッパー本体２０で確実に保持固定できるので、戸パネル４の拡開操作や折りたたみ動作を簡便に行える。また、吊元側の戸パネル４のランナー本体１０をストッパー本体２０から分離することにより、折戸をガイドレール１に沿って自由に開閉移動できる。必要があれば、ガイドレール１の中途に設けたランナーストッパーで、ランナー本体１０を捕捉保持することができる。
【００４８】
ストッパー本体２０は、ステンレス板材以外に、ばね鋼やプラスチック材で形成することができ、必要があれば金属板材の一部あるいは全部をプラスチック材にインサートしてストッパー本体２０を構成してもよい。ストッパー腕２４および係合凹部１６は、Ｕ字状や逆台形状などに形成することができ、要はストッパー腕２４が下突状に、係合凹部１６が下凹み状に形成してあればよい。また、係合凹部１６の形状は、ストッパー腕２４の形状と一致している必要はない。
【符号の説明】
【００４９】
１  ガイドレール
３  ガイドレールの上壁
４  戸パネル
１０  ランナー本体
２０  ストッパー本体
２１  雄ねじ体（調整ビス）
２２  雌ねじ体（ナット体）
２３  締結座
２４  ストッパー腕
２５  調整座
２６  湾曲頂部
３１  調整隙間
３２  調整溝
３３  受壁
【図１】
2014169559.tif 000003
【図２】
2014169559.tif 000004
【図３】
2014169559.tif 000005
【図４】
2014169559.tif 000006
【図５】
2014169559.tif 000007
【図６】
2014169559.tif 000008
【図７】
2014169559.tif 000009
【図８】
2014169559.tif 000010
【図９】
2014169559.tif 000011
【図１０】
2014169559.tif 000012